【手続補正書】
【提出日】平成27年5月18日(2015.5.18)
【手続補正１】
【補正対象書類名】特許請求の範囲
【補正対象項目名】全文
【補正方法】変更
【補正の内容】
【特許請求の範囲】
【請求項１】
画像形成装置であって、
ユーザの操作にしたがってオン状態又はオフ状態になる電源スイッチと、
前記電源スイッチがオフ状態になった場合に、前記画像形成装置に記憶されるジョブをキャンセルする制御手段と、
前記制御手段によって前記画像形成装置に記憶されるジョブがキャンセルされた場合には、前記画像形成装置の電力状態を、前記画像形成装置の状態を保持する記憶手段に電力が供給される第１の電力状態に移行させ、前記制御手段によって前記画像形成装置に記憶されるジョブがキャンセルされなかった場合には、前記画像形成装置の電力状態を、前記記憶手段に電力が供給されない第２の電力状態に移行させる電力制御手段と、
を有することを特徴とする画像形成装置。
【請求項２】
前記電力制御手段は、前記電源スイッチがオフ状態になってから第１の時間が経過する前に前記画像形成装置に記憶されるジョブがキャンセルされた場合には、前記第１の電力状態に移行し、前記第１の時間が経過する前に前記画像形成装置に記憶されるジョブがキャンセルされなかった場合には、前記画像形成装置を第２の電力状態に移行する、ことを特徴とする請求項１に記載の画像形成装置。
【請求項３】
前記制御手段は、前記画像形成装置に記憶されるジョブが前記制御手段によってキャンセルされなかった場合にシャットダウン処理を実行し、前記シャットダウン処理を実行した後に、前記画像形成装置を前記第２の電力状態に移行する、ことを特徴とする請求項１又は２に記載の画像形成装置。
【請求項４】
前記制御手段は、前記画像形成装置の電力状態が前記第１の電力状態に移行する前に、前記画像形成装置の状態を前記記憶手段に記憶する、ことを特徴とする請求項１乃至３の何れか１項に記載の画像形成装置。
【請求項５】
前記記憶手段は、揮発性のメモリであって、
前記第１の電力状態は、サスペンド状態である、ことを特徴とする請求項１乃至４の何れか１項に記載の画像形成装置。
【請求項６】
前記サスペンド状態では、前記揮発性のメモリには電力が供給されるが、前記制御手段には電力が供給されない、ことを特徴とする請求項５に記載の画像形成装置。
【請求項７】
前記記憶手段は、不揮発性のメモリであって、
前記第１の電力状態は、ハイバネーション状態である、ことを特徴とする請求項１乃至４の何れか１項に記載の画像形成装置。
【請求項８】
前記サスペンド状態では、前記不揮発性のメモリ及び前記制御手段には電力が供給されない、ことを特徴とする請求項７に記載の画像形成装置。
【請求項９】
前記第２の電力状態は、前記記憶手段、前記制御手段、及び、前記電力制御手段に電力が供給されないオフ状態である、ことを特徴とする請求項１乃至８の何れか１項に記載の画像形成装置。
【請求項１０】
前記制御手段は、前記画像形成装置が前記第１の電力状態にあるときに前記電源スイッチがオン状態になったならば、前記記憶手段に記憶される前記情報処理装置の状態を使って再開処理を実行する、ことを特徴とする請求項１乃至９の何れか１項に記載の画像形成装置。
【請求項１１】
前記制御手段は、前記画像形成装置が前記第２の電力状態にあるときに前記電源スイッチがオン状態になったならば、コールドブート処理を実行する、ことを特徴とする請求項１乃至９の何れか１項に記載の画像形成装置。
【請求項１２】
前記電源スイッチがオフ状態になった場合に、前記制御手段は、ジョブの受け付けを停止する、ことを特徴とする請求項１乃至１１の何れか１項に記載の画像形成装置。
【請求項１３】
前記電源スイッチがオフ状態になった後に第２の時間が経過した場合に、前記画像形成装置への電源供給を遮断する遮断手段をさらに有し、
前記第１の時間は、前記第２の時間よりも短い時間である、ことを特徴とする請求項２に記載の画像形成装置。
【請求項１４】
前記画像形成装置に記憶されるジョブは、実行中のジョブ又は実行待ちのジョブである、ことを特徴とする請求項１乃至１３のいずれか１項に記載の画像形成装置。
【請求項１５】
ユーザの操作にしたがってオン状態又はオフ状態になる電源スイッチを有する画像形成装置の制御方法であって、
前記電源スイッチがオフ状態になった場合に、前記画像形成装置に記憶されるジョブをキャンセルする制御手段による制御ステップと、
前記制御ステップにおいて前記画像形成装置に記憶されるジョブがキャンセルされた場合には、前記画像形成装置の電力状態を、前記画像形成装置の状態を保持する記憶手段に電力が供給される第１の電力状態に移行させ、前記制御ステップにおいて前記画像形成装置に記憶されるジョブがキャンセルされなかった場合には、前記画像形成装置の電力状態を、前記記憶手段に電力が供給されない第２の電力状態に移行させる電力制御手段による電源制御ステップと、
を有することを特徴とする画像形成装置の制御方法。
【請求項１６】
前記電力制御ステップは、前記電源スイッチがオフ状態になってから第１の時間が経過する前に前記画像形成装置に記憶されるジョブがキャンセルされた場合には、前記第１の電力状態に移行し、前記第１の時間が経過する前に前記画像形成装置に記憶されるジョブがキャンセルされなかった場合には、前記画像形成装置を第２の電力状態に移行する、ことを特徴とする請求項１５に記載の画像形成装置の制御方法。
【請求項１７】
前記制御ステップは、前記画像形成装置に記憶されるジョブが前記制御ステップにおいてキャンセルされなかった場合にシャットダウン処理を実行し、前記シャットダウン処理を実行した後に、前記画像形成装置を前記第２の電力状態に移行する、ことを特徴とする請求項１５又は１６に記載の画像形成装置の制御方法。
【請求項１８】
前記制御ステップは、前記画像形成装置の電力状態が前記第１の電力状態に移行する前に、前記画像形成装置の状態を前記記憶手段に記憶する、ことを特徴とする請求項１５乃至１７の何れか１項に記載の画像形成装置の制御方法。
【請求項１９】
前記記憶手段は、揮発性のメモリであって、
前記第１の電力状態は、サスペンド状態である、ことを特徴とする請求項１５乃至１８の何れか１項に記載の画像形成装置の制御方法。
【請求項２０】
前記サスペンド状態では、前記揮発性のメモリには電力が供給されるが、前記制御手段には電力が供給されない、ことを特徴とする請求項１９に記載の画像形成装置の制御方法。
【請求項２１】
前記記憶手段は、不揮発性のメモリであって、
前記第１の電力状態は、ハイバネーション状態である、ことを特徴とする請求項１５至１８の何れか１項に記載の画像形成装置の制御方法。
【請求項２２】
前記サスペンド状態では、前記不揮発性のメモリ及び前記制御手段には電力が供給されない、ことを特徴とする請求項２１に記載の画像形成装置の制御方法。
【請求項２３】
前記第２の電力状態は、前記記憶手段、前記制御手段、及び、前記電力制御手段に電力が供給されないオフ状態である、ことを特徴とする請求項１５乃至２２の何れか１項に記載の画像形成装置の制御方法。
【請求項２４】
前記制御ステップは、前記画像形成装置が前記第１の電力状態にあるときに前記電源スイッチがオン状態になったならば、前記記憶手段に記憶される前記情報処理装置の状態を使って再開処理を実行する、ことを特徴とする請求項１５乃至２３の何れか１項に記載の画像形成装置の制御方法。
【請求項２５】
前記制御ステップは、前記画像形成装置が前記第２の電力状態にあるときに前記電源スイッチがオン状態になったならば、コールドブート処理を実行する、ことを特徴とする請求項１５乃至２３の何れか１項に記載の画像形成装置の制御方法。
【請求項２６】
前記電源スイッチがオフ状態になった場合に、前記制御ステップは、ジョブの受け付けを停止する、ことを特徴とする請求項１５乃至２５の何れか１項に記載の画像形成装置の制御方法。
【請求項２７】
ユーザの操作にしたがってオン状態又はオフ状態になる電源スイッチを備える画像形成装置のコンピュータを、
前記電源スイッチがオフ状態になった場合に、前記画像形成装置に記憶されるジョブをキャンセルする制御手段、及び、
前記制御手段によって前記画像形成装置に記憶されるジョブがキャンセルされた場合には、前記画像形成装置の電力状態を、前記画像形成装置の状態を保持する記憶手段に電力が供給される第１の電力状態に移行させ、前記制御手段によって前記画像形成装置に記憶されるジョブがキャンセルされなかった場合には、前記画像形成装置の電力状態を、前記記憶手段に電力が供給されない第２の電力状態に移行させる電力制御手段、
として機能させるためのプログラム。